(57)【要約】      （修正有）【課題】電気化学式水素ポンプの水素供給動作を従来よりも高効率に行い得る水素供給システムを提供する。【解決手段】水素供給システムは、電解質膜１１、電解質膜の両面に設けられた一対のアノード極１３およびカソード極１２と、アノード極およびカソード極間に流れる電流量を調整する電流調整器１０２と、を備え、電流調整器により前記アノード極およびカソード極間に電流を流すことにより、アノード極側に供給される水素を昇圧してカソード極側に供給し、昇圧された水素を水素需要体に供給する水素供給動作を行う電気化学式水素ポンプ１００と、アノード極側から排出される水素含有ガスおよび外部から供給される水素含有ガスが混合された混合ガスの露点を調整する露点調整器１０３と、を備える。【選択図】図１
2019099915.tif 000002
【特許請求の範囲】
【請求項１】
電解質膜、前記電解質膜の両面に設けられた一対のアノード極およびカソード極と、前記アノード極およびカソード極間に流れる電流量を調整する電流調整器と、を備え、前記電流調整器により前記アノード極およびカソード極間に電流を流すことにより、前記アノード極側に供給される水素を昇圧して前記カソード極側に供給し、前記昇圧された水素を水素需要体に供給する水素供給動作を行う電気化学式水素ポンプと、
前記アノード極側から排出される水素含有ガスおよび外部から供給される水素含有ガスが混合された混合ガスの露点を調整する露点調整器と、を備える水素供給システム。
【請求項２】
前記露点調整器は、前記混合ガスを加湿する加湿器を含む請求項１に記載の水素供給システム。
【請求項３】
前記露点調整器は、前記混合ガス中に含まれる水分を凝縮させる第１凝縮器を含む請求項１に記載の水素供給システム。
【請求項４】
前記外部から供給される水素含有ガスと混合される前の前記アノード極側から排出される水素含有ガスに含まれる水分を凝縮する第２凝縮器を備える請求項１−３のいずれか１項に記載の水素供給システム。
【請求項５】
前記外部から供給される水素含有ガスと混合される前の前記アノード極側から排出される水素含有ガスを気液分離する第１気液分離器を備える請求項１−４のいずれか１項に記載の水素供給システム。
【請求項６】
前記カソード極側から排出される水素含有ガスを気液分離する第２気液分離器と、前記第２気液分離器で水素含有ガスから分離した水を前記露点調整器に供給するための水経路と、を備える請求項１−５のいずれか１項に記載の水素供給システム。
【請求項７】
前記露点調整器の動作を制御して、前記混合ガスの露点を調整する第１制御器を備える請求項１−６のいずれか１項に記載の水素供給システム。
【請求項８】
前記電流調整器を制御して前記アノード極およびカソード極間に流れる電流量を調整することで、前記外部から供給される水素含有ガスと混合される前の前記アノード極側から排出される水素含有ガスの露点を変化させる第２制御器を備える請求項１−７のいずれか１項に記載の水素供給システム。
【請求項９】
前記露点調整器から排出された前記混合ガスを加熱する加熱器と、前記加熱器を制御して、前記加熱器で加熱された前記混合ガスの温度を前記露点調整器から排出された前記混合ガスの露点以上にする第３制御器とを備える請求項１−８のいずれか１項に記載の水素供給システム。 
【発明の詳細な説明】
【技術分野】
【０００１】
本開示は水素供給システムに関する。
【背景技術】
【０００２】
近年、地球の温暖化などの環境問題、石油資源の枯渇などのエネルギー問題から化石燃料に代わるクリーンな代替エネルギー源として、水素が注目されている。水素は燃焼しても基本的に水しか放出せず、地球温暖化の原因となる二酸化炭素が排出されずかつ窒素酸化物などもほとんど排出されないので、クリーンエネルギーとして期待されている。また、水素を燃料として高効率に利用する装置として、例えば、燃料電池があり、自動車用電源向け、家庭用自家発電向けに開発および普及が進んでいる。
【０００３】
来るべき水素社会では、水素を製造することに加えて、水素ガスを高密度で貯蔵し、小容量かつ低コストで輸送または利用し得る技術開発が求められている。特に、分散型のエネルギー源となる燃料電池の普及促進には、水素供給インフラを整備する必要がある。また、水素を安定的に供給するために、高純度の水素ガスを製造、精製、高密度貯蔵する様々な技術を開発する必要がある。
【０００４】
例えば、水を電気分解して水素を生成する高圧水素製造装置において、高圧側および低圧側の圧力差により電解質膜および低圧側の給電体などが変形することで、構成部材間の接触抵抗が増加する。そこで、電解質膜および低圧側給電体が変形しても、高圧側給電体を電解質膜に押圧して密着させ得る皿バネ、コイルバネなどの押圧手段を備える高圧水素製造装置が提案されている（例えば、特許文献１参照）。これにより、両者間の接触抵抗の増加を抑制することができる。
【０００５】
また、高圧力環境に対して耐久性を有し、かつ、低コストで改質ガスから水素を精製および昇圧するため、複数枚積層されたセル構造と、そのセル構造の積層方向に締付応力を加える押圧構造と、を備える電気化学式水素ポンプが提案されている（例えば、特許文献２参照）。
【０００６】
また、固体高分子形の電解質膜を備える電気化学式水素ポンプにおいて、電気化学的に水素を精製および昇圧する際に、アノード極からカソード極に水素とともに、水が浸透するので、カソード極に排出された水素から水を効率的に除去するのに、水をトラップして排出する水凝縮トラップを水素経路に設けることが提案されている（例えば、特許文献３参照）。
【先行技術文献】
【特許文献】
【０００７】
【特許文献１】特開２００６−７０３２２号公報
【特許文献２】国際公開第２０１５／０２００６５号公報
【特許文献３】特開２０１７−３９６３６号公報
【発明の概要】
【発明が解決しようとする課題】
【０００８】
水素供給システムにおいて、高効率に水素を供給することが望まれており、電気化学式水素ポンプの水素供給動作の高効率化が重要である。
【０００９】
しかし、従来例は、電気化学式水素ポンプの触媒層と給電体との間の電気的接触の視点から水素供給動作の高効率化は検討されているが、電気化学式水素ポンプのアノード極に供給する水素含有ガスの露点調整の視点から電気化学式水素ポンプの水素供給動作の高効率化は検討されていない。
【００１０】
本開示の一態様（aspect）は、このような事情に鑑みてなされたものであり、電気化学式水素ポンプの水素供給動作を従来よりも高効率に行い得る水素供給システムを提供する。
【課題を解決するための手段】
【００１１】
上記課題を解決するため、本開示の一態様の水素供給システムは、電解質膜、前記電解質膜の両面に設けられた一対のアノード極およびカソード極と、前記アノード極およびカソード極間に流れる電流量を調整する電流調整器と、を備え、前記電流調整器により前記アノード極およびカソード極間に電流を流すことにより、前記アノード極側に供給される水素を昇圧して前記カソード極側に供給し、前記昇圧された水素を水素需要体に供給する水素供給動作を行う電気化学式水素ポンプと、前記アノード極側から排出される水素含有ガスおよび外部から供給される水素含有ガスが混合された混合ガスの露点を調整する露点調整器と、を備える。
【発明の効果】
【００１２】
本開示の一態様の水素供給システムは、電気化学式水素ポンプの水素供給動作を従来よりも高効率に行い得るという効果を奏する。
【図面の簡単な説明】
【００１３】
【図１】図１は、第１実施形態の水素供給システムの一例を示す図である。
【図２Ａ】図２Ａは、第１実施形態の水素供給システムの電気化学式水素ポンプの一例を示す図である。
【図２Ｂ】図２Ｂは、第１実施形態の水素供給システムの電気化学式水素ポンプの一例を示す図である。
【図３Ａ】図３Ａは、第１実施形態の実施例の水素供給システムの一例を示す図である。
【図３Ｂ】図３Ｂは、第１実施形態の実施例の水素供給システムの一例を示す図である。
【図３Ｃ】図３Ｃは、第１実施形態の第１変形例の水素供給システムの一例を示す図である。
【図４Ａ】図４Ａは、第２実施形態の水素供給システムの一例を示す図である。
【図４Ｂ】図４Ｂは、第２実施形態の変形例の水素供給システムの一例を示す図である。
【図５】図５は、第３実施形態の水素供給システムの一例を示す図である。
【図６】図６は、第４実施形態の水素供給システムの一例を示す図である。
【発明を実施するための形態】
【００１４】
電気化学式水素ポンプの水素供給動作の高効率化について鋭意検討が行われ、以下の知見が得られた。
【００１５】
例えば、固体高分子形の電解質膜を備える電気化学式水素ポンプでは、電気化学的に水素を精製および昇圧する際に、電気化学式水素ポンプの電解質膜の湿潤状態、電極における水の状態によりポンプ性能（過電圧を指標とする効率性能）が左右される。
【００１６】
ここで、電気化学式水素ポンプの動作温度に対応して、電気化学式水素ポンプのアノード極に供給する水素含有ガスの加湿量を適量に設定することが望ましい。
【００１７】
仮に、水素含有ガスの加湿量が不十分な場合、電解質膜のプロトン伝導性が低下する可能性がある。すると、電気化学式水素ポンプの水素供給動作時の電気エネルギーが大きくなるので、電気化学式水素ポンプの水素供給動作の効率が低下する。
【００１８】
逆に、水素含有ガスの加湿量が過剰な場合、水素含有ガス中の水蒸気が凝縮することで、凝縮水により電気化学式水素ポンプのガス流路の閉塞が発生する可能性がある。すると、電気化学式水素ポンプの水素拡散性が阻害されやすくなる。この場合、所望のプロトン移動を確保するためのポンプ動作に必要な電力が増加するので、電気化学式水素ポンプの水素供給動作の効率が低下する。
【００１９】
そこで、発明者らは、電気化学式水素ポンプのアノード極に供給する水素含有ガスの露点を調整するという着想に到達した。
【００２０】
すなわち、本開示の第１態様の水素供給システムは、電解質膜、電解質膜の両面に設けられた一対のアノード極およびカソード極と、アノード極およびカソード極間に流れる電流量を調整する電流調整器と、を備え、電流調整器によりアノード極およびカソード極間に電流を流すことにより、アノード極側に供給される水素を昇圧してカソード極側に供給し、昇圧された水素を水素需要体に供給する水素供給動作を行う電気化学式水素ポンプと、アノード極側から排出される水素含有ガスおよび外部から供給される水素含有ガスが混合された混合ガスの露点を調整する露点調整器と、を備える。
【００２１】
かかる構成によると、本態様の水素供給システムは、電気化学式水素ポンプの水素供給動作を従来よりも高効率に行い得る。具体的には、仮に、上記の混合ガスの加湿量が不十分な場合、電解質膜のプロトン伝導性が低下する可能性があるが、本態様の水素供給システムでは、かかる混合ガスの露点を適切に調整できるので、このような可能性を低減できる。また、仮に、上記の混合ガスの加湿量が過剰な場合、混合ガス中の水蒸気が凝縮することで、凝縮水により電気化学式水素ポンプのガス流路の閉塞が発生する可能性があるが、本態様の水素供給システムでは、かかる混合ガスの露点を適切に調整できるので、このような可能性を低減できる。
【００２２】
本開示の第２態様の水素供給システムは、第１態様の水素供給システムにおいて、露点調整器は、上記の混合ガスを加湿する加湿器を含んでもよい。
【００２３】
かかる構成によると、本態様の水素供給システムは、上記の混合ガスの加湿量が不十分な場合、混合ガスを加湿器により加湿することができる。よって、このような加湿器を備えない場合に比べて電気化学式水素ポンプの電解質膜のプロトン伝導性が低下することを抑制できる。
【００２４】
本開示の第３態様の水素供給システムは、第１態様の水素供給システムにおいて、露点調整器は、上記の混合ガス中に含まれる水分を凝縮させる第１凝縮器を含んでもよい。
【００２５】
かかる構成によると、本態様の水素供給システムは、上記の混合ガスの加湿量が過剰な場合、混合ガスを第１凝縮器により除湿することができる。よって、このような第１凝縮器を備えない場合に比べて凝縮水により電気化学式水素ポンプのガス流路の閉塞が発生することを抑制できる。
【００２６】
本開示の第４態様の水素供給システムは、第１態様から第３態様のいずれか一つの水素供給システムにおいて、外部から供給される水素含有ガスと混合される前のアノード極側から排出される水素含有ガスに含まれる水分を凝縮する第２凝縮器を備えてもよい。
【００２７】
かかる構成によると、本態様の水素供給システムは、電気化学式水素ポンプのアノード極側から排出される水素含有ガスの露点が高い状態であっても、第２凝縮器により水素含有ガス中の水を水素含有ガスから適切に除去することができる。よって、このような第２凝縮器を備えない場合に比べて、水素含有ガス中の水により、水素含有ガスの流通が不安定になる可能性を低減できる。
【００２８】
本開示の第５態様の水素供給システムは、第１態様から第４態様のいずれか一つの水素供給システムにおいて、外部から供給される水素含有ガスと混合される前のアノード極側から排出される水素含有ガスを気液分離する第１気液分離器を備えてもよい。
【００２９】
かかる構成によると、本態様の水素供給システムは、電気化学式水素ポンプのアノード極側から排出される水素含有ガスの露点が高い状態であっても、第１気液分離器により水素含有ガス中の水を水素含有ガスから適切に除去することができる。よって、このような第１気液分離器を備えない場合に比べて、水素含有ガス中の水により、水素含有ガスの流通が不安定になる可能性を低減できる。
【００３０】
本開示の第６態様の水素供給システムは、第１態様から第５態様のいずれか一つの水素供給システムにおいて、カソード極側から排出される水素含有ガスを気液分離する第２気液分離器と、第２気液分離器で水素含有ガスから分離した水を露点調整器に供給するための水経路と、を備えてもよい。
【００３１】
かかる構成によると、本態様の水素供給システムは、カソード極側から排出される水素含有ガス中の水を、第２気液分離器および水経路を用いて露点調整器に供給することができる。すると、カソード極側から排出される水素含有ガス中の水を、露点調整器におけるガス加湿に再利用することができる。よって、外部から水素供給システムに補充する水の量を低減することができる。
【００３２】
本開示の第７態様の水素供給システムは、第１態様から第６態様のいずれか一つの水素供給システムにおいて、上記の露点調整器の動作を制御して、上記の混合ガスの露点を調整する第１制御器を備えてもよい。
【００３３】
例えば、露点調整器が、混合ガスを温水に通気するバブラー構成を備える場合、第１制御器は、温水の温度を制御することで、混合ガスの露点を簡易かつ適切に調整することができる。
【００３４】
また、例えば、露点調整器が、透湿膜を備える場合、第１制御器は、透湿膜の温度を制御することで、混合ガスの露点を簡易かつ適切に調整することができる。
【００３５】
ところで、電気化学式水素ポンプのアノード極およびカソード極間に流れる電流量は、電解質膜を透過するプロトンの伝導量に対応する。このため、電流調整器を制御してアノード極およびカソード極間に流れる電流量を調整することにより、プロトンに同伴してアノード極からカソード極に移動する水の量を制御できる。
【００３６】
そこで、本開示の第８態様の水素供給システムは、第１態様から第７態様のいずれか一つの水素供給システムにおいて、電流調整器を制御してアノード極およびカソード極間に流れる電流量を調整することで、外部から供給される水素含有ガスと混合される前のアノード極側から排出される水素含有ガスの露点を変化させる第２制御器を備えてもよい。
【００３７】
また、露点調整器から排出された混合ガスの温度が、放熱などにより混合ガスの露点未満に低下する場合、混合ガス中の水蒸気の凝縮が起こる。
【００３８】
そこで、本開示の第９態様の水素供給システムは、第１態様から第８態様のいずれか一つの水素供給システムにおいて、露点調整器から排出された混合ガスを加熱する加熱器と、加熱器を制御して、加熱器で加熱された混合ガスの温度を露点調整器から排出された混合ガスの露点以上にする第３制御器とを備えてもよい。
【００３９】
かかる構成によると、本態様の水素供給システムは、上記の加熱器を設けない場合に比べて、混合ガス中の水蒸気の凝縮が起こりにくくなるので、凝縮水により混合ガスの流通が不安定になることを抑制できる。また、凝縮水がアノード極に流入することで電気化学式水素ポンプのガス流路の閉塞が発生することを抑制できる。
【００４０】
以下、添付図面を参照しつつ、本開示の実施形態について説明する。以下で説明する実施形態は、いずれも上記の各態様の一例を示すものである。よって、以下で示される形状、材料、構成要素、構成要素の配置位置および接続形態などは、請求項に記載されていない限り、上記の各態様を限定するものではない。また、以下の構成要素のうち、本態様の最上位概念を示す独立請求項に記載されていない構成要素については、任意の構成要素として説明される。また、図面において同じ符号が付いたものは説明を省略する場合がある。また、図面は理解しやすくするためにそれぞれの構成要素を模式的に示したもので、形状および寸法比などについては正確な表示ではない場合がある。
【００４１】
（第１実施形態）
［装置構成］
図１は、第１実施形態の水素供給システムの一例を示す図である。
【００４２】
図１に示す例では、水素供給システム２００は、電気化学式水素ポンプ１００と、露点調整器１０３と、を備える。電気化学式水素ポンプ１００は、電解質膜１１と、アノード極１３と、カソード極１２と、電流調整器１０２と、を備える。
【００４３】
アノード極１３およびカソード極１２は、電解質膜１１の両面に設けられた一対の電極である。具体的には、カソード極１２は、電解質膜１１の一方の主面に設けられ、アノード極１３は、電解質膜１１の他方の主面に設けられている。
【００４４】
電流調整器１０２は、アノード極１３およびカソード極１２間に流れる電流量を調整する装置である。電流調整器１０２は、アノード極１３およびカソード極１２間に流れる電流量を調整することができれば、どのような構成であってもよい。
【００４５】
電流調整器１０２は、例えば、アノード極１３およびカソード極１２間に印加する電圧を調整する電圧印加器でもよい。電圧印加器として、例えば、ＤＣ／ＤＣコンバータ、ＡＣ／ＤＣコンバータなどを挙げることができる。ＤＣ／ＤＣコンバータは、電圧印加器が、バッテリなどの直流電源と接続された場合に用いられ、ＡＣ／ＤＣコンバータは、電圧印加器が、商用電源などの交流電源と接続された場合に用いられる。電流調整器１０２が電圧印加器であるとき、電圧印加器の高電位側端子がアノード極１３に接続され、電圧印加器の低電位側端子がカソード極１２に接続される。
【００４６】
電気化学式水素ポンプ１００は、電流調整器１０２によりアノード極１３およびカソード極１２間に電流を流すことにより、アノード極１３側に供給される水素を昇圧してカソード極１２側に供給し、昇圧された水素を水素需要体に供給する水素供給動作を行う装置である。水素需要体として、例えば、家庭用または自動車用の燃料電池などを挙げることができる。
【００４７】
具体的には、電気化学式水素ポンプ１００のアノード極１３で水素含有ガス中の水素ガス（Ｈ２）からプロトン（Ｈ＋）が生成される。すると、プロトン（Ｈ＋）が電解質膜１１を透過し、電気化学式水素ポンプ１００のカソード極１２で水素ガス（Ｈ２）が生成される。このとき、カソード極１２において生成される水素ガス量が増加することで水素ガスが昇圧される。つまり、電気化学式水素ポンプ１００は、水素を電気化学的に昇圧する昇圧ポンプとして機能する。そして、電気化学式水素ポンプ１００のカソード極１２で生成された水素ガスは、カソードガス導出経路２６を通じて、上記の水素需要体に供給される。
【００４８】
なお、電気化学式水素ポンプ１００の構成例の詳細、および、電気化学式水素ポンプ１００の水素供給動作の詳細については後で説明する。
【００４９】
露点調整器１０３は、アノード極１３側から排出される水素含有ガスおよび外部から供給される水素含有ガスが混合された混合ガスの露点を調整する装置である。具体的には、アノード極１３側から排出される水素含有ガスは、アノードガス導出経路３１を通じて露点調整器１０３に供給される。また、露点調整器１０３からの混合ガスは、アノードガス導入経路２９を通じて電気化学式水素ポンプ１００のアノード極１３に供給される。なお、図１以降の図面に示される露点調整器１０３は、いずれも、アノードガス導入経路２９とアノードガス導出経路３１の合流箇所に設けられているが、これに限定されるものではない。上記合流箇所よりも下流のアノードガス導入経路２９に設けられてもよい。つまり、上記混合ガスの露点を調整可能であれば、アノードガス導入経路２９のいずれの箇所に設けられてもよい。
【００５０】
なお、露点調整器１０３は、アノード極１３側から排出される水素含有ガスと、外部から供給される水素含有ガスとを混合させる混合器を備えてもよいが、図示しない混合器が露点調整器１０３とは別個に設けられていてもよい。
【００５１】
露点調整器１０３は、上記の混合ガスの露点を調整することができれば、どのような構成であってもよい。露点調整器１０３の詳細については実施例で説明する。
【００５２】
図１には示されていないが、水素供給システム２００の水素供給動作において必要となる機器は適宜、設けられる。
【００５３】
例えば、水素供給システム２００では、所定の供給圧を有する外部のガス供給源（図示せず）から露点調整器１０３に水素含有ガスが供給されてもよい。外部のガス供給源として、例えば、ガス貯蔵器（例えば、ガスボンベ）、ガス供給インフラなどを挙げることができる。
【００５４】
また、水素含有ガスとして、例えば、水素ガスを挙げることができる。この場合、水素ガスは、例えば、水電解装置で生成されてもよい。
【００５５】
また、水素供給システム２００に、例えば、電気化学式水素ポンプ１００の温度を検出する温度検出器、電気化学式水素ポンプ１００のカソード極１２から排出された水素ガスを一時的に貯蔵する水素貯蔵器、水素貯蔵器内のガス圧を検出する圧力検出器などが設けられていてもよい。
【００５６】
なお、以上の図示しない様々な機器は例示であって、本例に限定されない。
【００５７】
［電気化学式水素ポンプの構成］
図２Ａおよび図２Ｂは、第１実施形態の水素供給システムの電気化学式水素ポンプの一例を示す図である。図２Ｂは、図２ＡのＢ部の拡大図である。
【００５８】
図２Ａおよび図２Ｂに示すように、電気化学式水素ポンプ１００の単セル１００Ａは、電解質膜１１と、アノード極１３およびカソード極１２と、カソードセパレータ１６と、アノードセパレータ１７と、絶縁体２１と、を備える。
【００５９】
カソード極１２は、例えば、カソード触媒層１２Ａおよびカソードガス拡散層１２Ｂで構成されている。アノード極１３は、例えば、アノード触媒層１３Ａおよびアノードガス拡散層１３Ｂで構成されている。
【００６０】
これにより、電解質膜１１は、アノード触媒層１３Ａおよびカソード触媒層１２Ａのそれぞれと接触するようにして、アノード極１３とカソード極１２とによって挟持されている。なお、カソード極１２、電解質膜１１およびアノード極１３の積層体を膜−電極接合体（以下、ＭＥＡ：Membrane Electrode Assembly）という。
【００６１】
電解質膜１１、カソード触媒層１２Ａ、カソードガス拡散層１２Ｂ、アノード触媒層１３Ａおよびアノードガス拡散層１３Ｂの詳細は後で説明する。
【００６２】
カソードセパレータ１６およびアノードセパレータ１７のそれぞれの中央部には、凹部が設けられている。これらの凹部のそれぞれに、カソードガス拡散層１２Ｂおよびアノードガス拡散層１３Ｂがそれぞれ収容されている。そして、カソードセパレータ１６およびアノードセパレータ１７で上記のＭＥＡを挟むことにより、単セル１００Ａが形成されている。
【００６３】
カソードガス拡散層１２Ｂと接触するカソードセパレータ１６の主面には、平面視において、例えば、サーペンタイン状または直線状のカソードガス流路３２が設けられている。アノードガス拡散層１３Ｂと接触するアノードセパレータ１７の主面には、平面視において、例えば、サーペンタイン状または直線状のアノードガス流路３３が設けられている。
【００６４】
また、導電性のカソードセパレータ１６およびアノードセパレータ１７の間には、ＭＥＡの周囲を囲むように設けられた環状かつ平板状の絶縁体２１が挟み込まれている。これにより、カソードセパレータ１６およびアノードセパレータ１７の短絡が防止されている。
【００６５】
本実施形態の電気化学式水素ポンプ１００は、３段の単セル１００Ａが積層されたスタックを構成しているが、単セル１００Ａの段数はこれに限定されない。単セル１００Ａの段数は、電気化学式水素ポンプ１００の水素量などの運転条件をもとに適宜の数に設定することができる。
【００６６】
ここで、単セル１００Ａを複数個、積層状態で適切に保持するには、単セル１００Ａの最上層のカソードセパレータ１６の端面および最下層のアノードセパレータ１７の端面をそれぞれ、給電板２２Ｕと絶縁板２３Ｕおよび給電板２２Ｄと絶縁板２３Ｄのそれぞれを介して、端板２４Ｕおよび端板２４Ｄのそれぞれで挟み、単セル１００Ａに所望の締結圧をかける必要がある。
【００６７】
そこで、端板２４Ｕおよび端板２４Ｄの適所に、単セル１００Ａに締結圧をかけるための複数の締結器２５が設けられている。締結器２５は、複数の単セル１００Ａを締結できれば、どのような構成であってもよい。締結器２５として、例えば、端板２４Ｕおよび端板２４Ｄを貫通するボルト、および、皿ばね付きナットなどを例示できる。
【００６８】
端板２４Ｕには、カソードガス導出経路２６（図１参照）が設けられている。カソードガス導出経路２６は、カソード極１２側から排出される水素含有ガスが流通する配管で構成されていてもよい。具体的には、カソードガス導出経路２６は、積層状態の単セル１００Ａに設けられた筒状のカソードガス導出マニホルド（図示せず）に連通している。そして、この筒状のカソードガス導出マニホルドが、単セル１００Ａのそれぞれのカソードガス流路３２と、図示しないカソードガス連通経路を介して連通している。これにより、単セル１００Ａのそれぞれのカソードガス流路３２を通過した水素含有ガスが、カソードガス導出マニホルドで合流される。そして、合流された水素含有ガスが、カソードガス導出経路２６に導かれる。
【００６９】
カソードセパレータ１６およびアノードセパレータ１７の間には、平面視において、カソードガス導出マニホルドを囲むように、図示しないＯリングなどのシール部材が設けられ、カソードガス導出マニホルドが、このシール部材で適切にシールされている。
【００７０】
端板２４Ｄには、アノードガス導入経路２９（図１参照）が設けられている。アノードガス導入経路２９は、アノード極１３側に供給される水素含有ガスが流通する配管で構成されていてもよい。具体的には、アノードガス導入経路２９は、積層状態の単セル１００Ａに設けられた筒状のアノードガス導入マニホルド２７に連通している。そして、この筒状のアノードガス導入マニホルド２７が、単セル１００Ａのそれぞれのアノードガス流路３３の一方の端部と、図示しないアノードガス連通経路を介して連通している。これにより、アノードガス導入経路２９からの水素含有ガスが、単セル１００Ａのそれぞれのアノードガス流路３３に連通したアノードガス導入マニホルド２７を通じて、単セル１００Ａのそれぞれに分配される。そして、分配された水素含有ガスが、アノードガス拡散層１３Ｂからアノード触媒層１３Ａに供給される。
【００７１】
また、端板２４Ｄには、アノードガス導出経路３１（図１参照）が設けられている。アノードガス導出経路３１は、アノード極１３側から排出される水素含有ガスが流通する配管で構成されていてもよい。具体的には、アノードガス導出経路３１は、積層状態の単セル１００Ａに設けられた筒状のアノードガス導出マニホルド３０に連通している。そして、この筒状のアノードガス導出マニホルド３０が、単セル１００Ａのそれぞれのアノードガス流路３３の他方の端部と、図示しないアノードガス連通経路を介して連通している。これにより、単セル１００Ａのそれぞれのアノードガス流路３３を通過した水素含有ガスが、アノードガス導出マニホルド３０で合流される。そして、合流された水素含有ガスが、アノードガス導出経路３１に導かれる。
【００７２】
カソードセパレータ１６およびアノードセパレータ１７の間には、平面視において、アノードガス導入マニホルド２７およびアノードガス導出マニホルド３０を囲むようにＯリングなどのシール部材４０が設けられ、アノードガス導入マニホルド２７およびアノードガス導出マニホルド３０が、シール部材４０で適切にシールされている。
【００７３】
電解質膜１１は、プロトン（Ｈ＋）を透過可能なプロトン伝導性を備える電解質膜である。電解質膜１１はプロトン伝導性を備える電解質膜であれば、どのような構成であってもよい。例えば、電解質膜１１として、フッ素系高分子電解質膜などを挙げることができる。具体的には、例えば、Ｎａｆｉｏｎ（登録商標、デュポン社製）、Ａｃｉｐｌｅｘ（登録商標、旭化成株式会社製）などを用いることができるが、これらに限定されない。
【００７４】
カソード触媒層１２Ａは、電解質膜１１の一方の主面に設けられている。なお、平面視において、カソード触媒層１２Ａの周囲を囲むようにシール部材４２が設けられ、カソード触媒層１２Ａが、シール部材４２で適切にシールされている。カソード触媒層１２Ａは、例えば、触媒金属として白金（Ｐｔ）などを含んでもよいが、これに限定されない。
【００７５】
アノード触媒層１３Ａは、電解質膜１１の他方の主面に設けられている。なお、平面視において、アノード触媒層１３Ａの周囲を囲むようにシール部材４３が設けられ、アノード触媒層１３Ａが、シール部材４３で適切にシールされている。アノード触媒層１３Ａは、例えば、触媒金属としてＰｔなどを含んでもよいが、これに限定されない。
【００７６】
カソード触媒層１２Ａもアノード触媒層１３Ａも、触媒の調製方法としては、種々の方法を挙げることができるので、特に限定されない。例えば、触媒の担体としては、導電性の酸化物粉末、炭素系粉末などを挙げることができる。炭素系粉末としては、例えば、黒鉛、カーボンブラック、電気導電性を有する活性炭などの粉末を挙げることができる。カーボンなどの担体に、白金若しくは他の触媒金属を担持する方法は、特に限定されない。例えば、粉末混合または液相混合などの方法を用いてもよい。後者の液相混合としては、例えば、触媒成分コロイド液にカーボンなどの担体を分散させ、吸着させる方法などが挙げられる。また、必要に応じて活性酸素除去材を担体として、白金若しくは他の触媒金属を上記と同様の方法で担持することができる。白金などの触媒金属の担体への担持状態は、特に限定されない。例えば、触媒金属を微粒子化し、高分散で担体に担持してもよい。
【００７７】
カソードガス拡散層１２Ｂは、例えば、多孔質体などで構成され、導電性およびガス拡散性を備える。例えば、カソードガス拡散層１２Ｂとして、チタン、チタン合金、ステンレススチールなどを素材とする金属繊維焼結体、金属粉体焼結体、エキスパンドメタル、金属メッシュ、パンチングメタルなどを用いることができる。また、カーボンペーパー、カーボンクロス、カーボンフェルトなどの多孔性の炭素材料を用いることができる。また、カーボンブラックとＰＴＦＥなどのエラストマーとを混錬、圧延した多孔性のシート材料なども用いることができる。
【００７８】
カソードガス拡散層１２Ｂは、電気化学式水素ポンプ１００の水素供給動作時にアノード極１３およびカソード極１２の間の差圧で発生する構成部材の変位、変形に追従し得る弾性を備える部材が望ましい。
【００７９】
アノードガス拡散層１３Ｂは、例えば、多孔質体などで構成され、導電性およびガス拡散性を備える。例えば、アノードガス拡散層１３Ｂとして、チタン、チタン合金、ステンレススチールなどを素材とした金属繊維焼結体、金属粉体焼結体、エキスパンドメタル、金属メッシュ、パンチングメタルなどが用いることができる。
【００８０】
アノードガス拡散層１３Ｂは、電気化学式水素ポンプ１００の水素供給動作時にアノード極１３およびカソード極１２の間の差圧で発生する構成部材の変位、変形を抑制し得る高剛性を備える部材が望ましい。
【００８１】
電流調整器１０２は、上記のとおり、アノード極１３およびカソード極１２間に流れる電流量を調整する装置である。
【００８２】
本例では、電流調整器１０２として、直流電源などの電圧印加器が用いられており、電圧印加器の低電位側端子が、最上層のカソードセパレータ１６に接触する給電板２２Ｕに接続され、電圧印加器の高電位側端子が、最下層のアノードセパレータ１７に接触する給電板２２Ｄに接続されている。
【００８３】
なお、以上の電気化学式水素ポンプ１００の構成は例示であって、本例に限定されない。
【００８４】
［動作］
以下、電気化学式水素ポンプ１００の水素供給動作について、図面を参照しながら説明する。
【００８５】
以下の動作は、例えば、図示しない制御器の演算回路が、制御器の記憶回路から制御プログラムにより行われてもよい。ただし、以下の動作を制御器で行うことは、必ずしも必須ではない。操作者が、その一部または全部の動作を行ってもよい。
【００８６】
まず、アノードガス導入経路２９を通じて電気化学式水素ポンプ１００のアノード極１３に低圧の水素含有ガスが供給されるとともに、電圧印加器の電力が電気化学式水素ポンプ１００に給電される。
【００８７】
すると、アノード極１３のアノード触媒層１３Ａにおいて、酸化反応で水素分子が水素イオン（プロトン）と電子とに分離する（式（１））。プロトンは電解質膜１１内を伝導してカソード触媒層１２Ａに移動する。電子は電圧印加器を通じてカソード極１２のカソード触媒層１２Ａに移動する。
【００８８】
そして、カソード極１２のカソード触媒層１２Ａにおいて、還元反応で水素分子が再び生成される（式（２））。なお、プロトンが電解質膜１１中を伝導する際に、所定水量の水が、電気浸透水としてアノード極１３からカソード極１２にプロトンと同伴して移動することが知られている。
【００８９】
ここで、カソードガス導出経路２６に設けられた図示しない流量調整器（例えば、配管に設けられた背圧弁、調整弁など）を用いて、カソードガス導出経路２６の圧損を増加させることにより、カソード極１２で生成された水素ガスを昇圧することができる。よって、高圧状態の水素ガスを、例えば、図示しない水素貯蔵器に貯蔵することができる。
【００９０】
アノード：Ｈ２（低圧）→２Ｈ＋＋２ｅ−      ・・・（１）
カソード：２Ｈ＋＋２ｅ−→Ｈ２（高圧）      ・・・（２）
ところで、電圧印加器で消費される電力が少なくなるように、電気化学式水素ポンプ１００の水素供給動作を高効率に行うには、電解質膜１１のプロトン伝導性を十分に高くする必要がある。そして、電解質膜１１は含水率が高いほど、電解質膜１１のプロトン伝導率が高くなるので、電解質膜１１を十分な湿潤状態に維持する必要がある。
【００９１】
例えば、電解質膜１１がフッ素系高分子電解質膜である場合、電気化学式水素ポンプ１００の動作温度が約７０℃程度であることが多い。この場合、アノード極１３に供給する水素含有ガスの露点は約７０℃近傍に調整することが望ましい。なお、かかる温度は例示であって、本例に限定されない。
【００９２】
仮に、アノード極１３に供給する水素含有ガスの加湿量が不十分な場合、電解質膜１１のプロトン伝導性が低下する可能性がある。すると、電気化学式水素ポンプ１００の水素供給動作時の電気エネルギーが大きくなるので、電気化学式水素ポンプ１００の水素供給動作の効率が低下する。
【００９３】
逆に、アノード極１３に供給する水素含有ガスの加湿量が過剰な場合、水素含有ガス中の水蒸気が凝縮することで、凝縮水により電気化学式水素ポンプ１００のガス流路の閉塞が発生する可能性がある（フラッディング現象）。すると、電気化学式水素ポンプ１００の水素拡散性が阻害されやすくなる。この場合、所望のプロトン移動を確保するためのポンプ動作に必要な電力が増加するので、電気化学式水素ポンプ１００の水素供給動作の効率が低下する。
【００９４】
そこで、本実施形態の水素供給システム２００は、上記のとおり、アノード極１３側から排出される水素含有ガスおよび外部から供給される水素含有ガスが混合された混合ガスの露点を調整する露点調整器１０３を備える。そして、露点調整が行われた混合ガスが、アノードガス導入経路２９を通じて電気化学式水素ポンプ１００のアノード極１３に供給される構成を取っている。
【００９５】
以上により、本実施形態の水素供給システム２００は、電気化学式水素ポンプ１００の水素供給動作を従来よりも高効率に行い得る。具体的には、仮に、上記の混合ガスの加湿量が不十分な場合、電解質膜１１のプロトン伝導性が低下する可能性があるが、本実施形態の水素供給システム２００では、かかる混合ガスの露点を適切に調整できるので、このような可能性を低減できる。また、仮に、上記の混合ガスの加湿量が過剰な場合、混合ガス中の水蒸気が凝縮することで、凝縮水により電気化学式水素ポンプ１００のガス流路の閉塞が発生する可能性があるが、本実施形態の水素供給システム２００では、かかる混合ガスの露点を適切に調整できるので、このような可能性を低減できる。
【００９６】
また、電気化学式水素ポンプ１００では、水素含有ガスの利用率を上げるほど、アノード極１３からカソード極１２に移動する水素ガス量を多くできる。しかしながら、水素含有ガスの利用率を上げると、電解質膜１１の物性によっては、アノード極１３のアノードガス流路３３を流通する水素含有ガス中の水分濃度が上がる場合がある。すると、アノード触媒層１３Ａへの水素拡散が阻害される場合がある。
【００９７】
そこで、本実施形態の水素供給システム２００は、アノード極１３に供給する水素含有ガスの一部をアノード極１３側から排出させる構成、および、アノード極１３側から排出される水素含有ガスを外部から供給される水素含有ガスと混合することで再利用する構成を取っている。
【００９８】
これにより、アノード触媒層１３Ａへの水素拡散阻害要因を軽減しながら、アノード極１３に供給する水素含有ガスの利用率を実質的に上げることが可能となり、電気化学式水素ポンプ１００の水素供給動作を高効率に行うことができる。
【００９９】
（実施例）
図３Ａおよび図３Ｂは、第１実施形態の実施例の水素供給システムの一例を示す図である。
【０１００】
図３Ａおよび図３Ｂに示す例では、水素供給システム２００は、電気化学式水素ポンプ１００と、露点調整器１０３と、を備える。電気化学式水素ポンプ１００については第１実施形態と同様であるので説明を省略する。
【０１０１】
本実施例の水素供給システム２００は、上記のとおり、アノード極１３側から排出される水素含有ガスを、外部から供給される水素含有ガスと混合する構成を取っている。この場合、外部から供給される水素含有ガス中に含まれる水分量とアノード極１３側から排出される水素含有ガス中に含まれる水分量とが互いに相違する。よって、アノード極１３に供給される混合ガスの水分量を適切に把握することは困難である。このため、かかる混合ガスの加湿量が不十分となる可能性、または、混合ガスの加湿量が過剰となる可能性がある。
【０１０２】
そこで、アノード極１３に供給される混合ガスの加湿量が不十分である場合、図３Ａに示すように、露点調整器１０３は、混合ガスを加湿する加湿器１１７Ａを備える。加湿器１１７Ａとして、例えば、混合ガスを温水に通気して加湿するバブラー構成の加湿器、混合ガスを透湿膜で加湿する構成の加湿器などを挙げることができる。
【０１０３】
逆に、アノード極１３に供給される混合ガスの加湿量が過剰である場合、図３Ｂに示すように、露点調整器１０３は、混合ガス中に含まれる水分を凝縮させる凝縮器１１７Ｂを備える。凝縮器１１７Ｂとして、例えば、混合ガスを温水に通気して除湿するバブラー構成の除湿器、混合ガスを透湿膜で除湿する構成の除湿器などを挙げることができる。
【０１０４】
ここで、露点調整器１０３が、例えば、上記のバブラー構成を備える場合、温水の温度により、混合ガスの加湿量を適切に調整することができる。つまり、温水を通過した混合ガスの露点は、温水の温度とほぼ等しくなる。よって、この場合、露点調整器１０３は、温水に通気する前の混合ガスの湿潤状態に対応して、混合ガスを加湿することも除湿することもできるので、混合ガスを加湿する加湿器としても混合ガスを除湿する除湿器としても機能することができる。
【０１０５】
また、露点調整器１０３が、例えば、上記の透湿膜を備える場合、透湿膜の温度により、混合ガスの加湿量を適切に調整することができる。つまり、透湿膜を通過した混合ガスの露点は、透湿膜の温度とほぼ等しくなる。よって、この場合、露点調整器１０３は、透湿膜を通過する前の混合ガスの湿潤状態に対応して、混合ガスを加湿することも除湿することもできるので、混合ガスを加湿する加湿器としても混合ガスを除湿する除湿器としても機能することができる。
【０１０６】
以上により、本実施例の水素供給システム２００は、アノード極１３に供給される混合ガスの加湿量が不十分な場合、混合ガスを加湿器１１７Ａにより加湿することができる。よって、このような加湿器１１７Ａを備えない場合に比べて電気化学式水素ポンプ１００の電解質膜１１のプロトン伝導性が低下することを抑制できる。
【０１０７】
また、本実施例の水素供給システム２００は、アノード極１３に供給される混合ガスの加湿量が過剰な場合、混合ガスを凝縮器１１７Ｂにより除湿することができる。よって、このような凝縮器１１７Ｂを備えない場合に比べて凝縮水により電気化学式水素ポンプ１００のガス流路の閉塞が発生することを抑制できる。
【０１０８】
本実施例の水素供給システム２００は、上記特徴以外は、第１実施形態の水素供給システム２００と同様であってもよい。
【０１０９】
（第１変形例）
図３Ｃは、第１実施形態の第１変形例の水素供給システムの一例を示す図である。
【０１１０】
図３Ｃに示す例では、水素供給システム２００は、電気化学式水素ポンプ１００と、露点調整器１０３と、制御器５０と、を備える。電気化学式水素ポンプ１００については第１実施形態と同様であるので説明を省略する。
【０１１１】
本変形例の水素供給システム２００は、露点調整器１０３の動作を制御して、アノード極１３側から排出される水素含有ガスおよび外部から供給される水素含有ガスが混合された混合ガスの露点を調整する第１制御器を備える。制御器５０は、このような第１制御器であってもよい。制御器５０は、水素供給システム２００の全体の動作を制御する制御器であってもよい。
【０１１２】
また、制御器５０は、図３Ａの加湿器１１７Ａの動作、図３Ｂの凝縮器１１７Ｂの動作を制御してもよい。
【０１１３】
具体的には、図３Ａの加湿器１１７Ａが、例えば、混合ガスを温水に通気して加湿するバブラー構成の場合、制御器５０は、温水の温度を制御することで、混合ガスの露点を簡易かつ適切に調整することができる。温水の温度の制御は、バブラー中に設けられた図示しない加熱器の加熱量を制御器５０で制御することで実現できる。加湿器１１７Ａが、例えば、混合ガスを透湿膜で加湿する構成の場合、制御器５０は、透湿膜の温度を制御することで、混合ガスの露点を簡易かつ適切に調整することができる。透湿膜の温度の制御は、透湿膜を加熱する加熱器（図示せず）の加熱量を制御器５０で制御することで実現できる。
【０１１４】
図３Ｂの凝縮器１１７Ｂが、例えば、混合ガスを温水に通気して除湿するバブラー構成の場合、制御器５０は、温水の温度を制御することで、混合ガスの露点を簡易かつ適切に調整することができる。温水の温度の制御は、バブラー中に設けられた図示しない加熱器の加熱量を制御器５０で制御することで実現できる。凝縮器１１７Ｂが、例えば、混合ガスを透湿膜で除湿する構成の場合、制御器５０は、透湿膜の温度を制御することで、混合ガスの露点を簡易かつ適切に調整することができる。透湿膜の温度の制御は、透湿膜を加熱する加熱器（図示せず）の加熱量を制御器５０で制御することで実現できる。
【０１１５】
制御器５０は、制御機能を有するものであれば、どのような構成であってもよい。例えば、制御器５０は、演算回路（図示せず）と、制御プログラムを記憶する記憶回路（図示せず）と、を備える。演算回路として、例えば、ＭＰＵ、ＣＰＵなどを挙げることができる。記憶回路として、例えば、メモリなどを挙げることができる。制御器５０は、集中制御を行う単独の制御器で構成されていてもよいし、互いに協働して分散制御を行う複数の制御器で構成されていてもよい。
【０１１６】
（第２変形例）
本変形例の水素供給システム２００は、以下の電流調整器１０２の制御内容以外は、第１実施形態の水素供給システム２００と同様である。
【０１１７】
電気化学式水素ポンプ１００のアノード極１３およびカソード極１２間に流れる電流量は、電解質膜１１を透過するプロトンの伝導量に対応する。このため、アノード極１３およびカソード極１２間に流れる電流量を調整することにより、プロトンに同伴してアノード極１３からカソード極１２に移動する水の量を制御できる。
【０１１８】
そこで、本変形例の水素供給システム２００は、電流調整器１０２を制御してアノード極１３およびカソード極１２間に流れる電流量を調整することで、外部から供給される水素含有ガスと混合される前のアノード極１３側から排出される水素含有ガスの露点を変化させる第２制御器を備える。例えば、図３Ｃの制御器５０は、このような第２制御器であってもよい。
【０１１９】
具体的には、電解質膜１１の物性によって、プロトンに同伴してアノード極１３からカソード極１２に移動する水の量は相違する。
【０１２０】
例えば、２つのプロトンに対して水が１つより多く移動する電解質膜１１の場合、アノード極１３およびカソード極１２間に流れる電流量を増加することで、アノード極１３側から排出される水素含有ガスの露点を低下させることができる。
【０１２１】
また、例えば、２つのプロトンに対して水が１つより少なく移動する電解質膜１１の場合、アノード極１３およびカソード極１２間に流れる電流量を増加することで、アノード極１３側から排出される水素含有ガスの露点を増加させることができる。
【０１２２】
本変形例の水素供給システム２００は、上記特徴以外は、第１実施形態、第１実施形態の実施例および第１実施形態の第１変形例のいずれかの水素供給システム２００と同様であってもよい。
【０１２３】
（第２実施形態）
図４Ａは、第２実施形態の水素供給システムの一例を示す図である。
【０１２４】
図４Ａに示す例では、水素供給システム２００は、電気化学式水素ポンプ１００と、露点調整器１０３と、凝縮器１１３Ａと、を備える。
【０１２５】
電気化学式水素ポンプ１００および露点調整器１０３は、第１実施形態と同様であるので説明を省略する。
【０１２６】
アノード極１３側から排出される水素含有ガスの露点が高い場合、水素含有ガス中の水蒸気が、水素含有ガスの温度低下によりアノードガス導出経路３１で凝縮する可能性がある。すると、アノードガス導出経路３１における水素含有ガスの流通が不安定になる可能性がある。また、アノードガス導出経路３１を通じて水素含有ガス中の水が露点調整器１０３に流入すると、露点調整器１０３による混合ガスの露点調整が不安定になる可能性がある。
【０１２７】
そこで、本実施形態の水素供給システム２００は、外部から供給される水素含有ガスと混合される前のアノード極１３側から排出される水素含有ガスに含まれる水分を凝縮する凝縮器１１３Ａを備える。つまり、凝縮器１１３Ａは、アノード極１３のガス排出口と露点調整器１０３との間のアノードガス導出経路３１に設けられている。なお、凝縮器１１３Ａで水素含有ガスから凝縮した凝縮水を排出するための水排出経路（図示せず）は、凝縮器１１３Ａと一体に設けてもよいし、凝縮器１１３Ａとは別個にアノードガス導出経路３１に設けてもよい。
【０１２８】
以上により、本実施形態の水素供給システム２００は、アノード極１３側から排出される水素含有ガスの露点が高い状態であっても、凝縮器１１３Ａにより水素含有ガス中の水を水素含有ガスから適切に除去することができる。よって、このような凝縮器１１３Ａを備えない場合に比べて、水素含有ガス中の水により、アノードガス導出経路３１における水素含有ガスの流通が不安定になる可能性を低減できる。また、アノードガス導出経路３１を通じて水素含有ガス中の水が露点調整器１０３に流入することを抑制できる。
【０１２９】
本実施形態の水素供給システム２００は、上記特徴以外は、第１実施形態、第１実施形態の実施例および第１実施形態の第１変形例−第２変形例のいずれかの水素供給システム２００と同様であってもよい。例えば、図４Ａの水素供給システム２００においても、図３Ｃの制御器５０が設けられ、この制御器５０が、図１の露点調整器１０３の動作、図３Ａの加湿器１１７Ａの動作、図３Ｂの凝縮器１１７Ｂの動作を制御してもよい。
【０１３０】
（変形例）
図４Ｂは、第２実施形態の変形例の水素供給システムの一例を示す図である。
【０１３１】
図４Ｂに示す例では、水素供給システム２００は、電気化学式水素ポンプ１００と、露点調整器１０３と、気液分離器１１３Ｂと、を備える。
【０１３２】
電気化学式水素ポンプ１００および露点調整器１０３は、第１実施形態と同様であるので説明を省略する。
【０１３３】
アノード極１３側から排出される水素含有ガスの露点が高い場合、水素含有ガス中の水蒸気が、水素含有ガスの温度低下によりアノードガス導出経路３１で凝縮する可能性がある。すると、アノードガス導出経路３１における水素含有ガスの流通が不安定になる可能性がある。また、アノードガス導出経路３１を通じて水素含有ガス中の水が露点調整器１０３に流入すると、露点調整器１０３による混合ガスの露点調整が不安定になる可能性がある。
【０１３４】
そこで、本変形例の水素供給システム２００は、外部から供給される水素含有ガスと混合される前のアノード極１３側から排出される水素含有ガスを気液分離する気液分離器１１３Ｂを備える。つまり、気液分離器１１３Ｂは、アノード極１３のガス排出口と露点調整器１０３との間のアノードガス導出経路３１に設けられている。なお、気液分離器１１３Ｂで水素含有ガスから分離した水を排出するための水排出経路（図示せず）は、気液分離器１１３Ｂと一体に設けてもよいし、気液分離器１１３Ｂとは別個にアノードガス導出経路３１に設けてもよい。
【０１３５】
以上により、本変形例の水素供給システム２００は、アノード極１３側から排出される水素含有ガスの露点が高い状態であっても、気液分離器１１３Ｂにより水素含有ガス中の水を水素含有ガスから適切に除去することができる。よって、このような気液分離器１１３Ｂを備えない場合に比べて、水素含有ガス中の水により、アノードガス導出経路３１における水素含有ガスの流通が不安定になる可能性を低減できる。また、アノードガス導出経路３１を通じて水素含有ガス中の水が露点調整器１０３に流入することを抑制できる。
【０１３６】
本変形例の水素供給システム２００は、上記特徴以外は、第１実施形態、第１実施形態の実施例、第１実施形態の第１変形例−第２変形例および第２実施形態のいずれかの水素供給システム２００と同様であってもよい。例えば、図４Ｂの水素供給システム２００においても、図３Ｃの制御器５０が設けられ、この制御器５０が、図１の露点調整器１０３の動作、図３Ａの加湿器１１７Ａの動作、図３Ｂの凝縮器１１７Ｂの動作を制御してもよい。
【０１３７】
（第３実施形態）
図５は、第３実施形態の水素供給システムの一例を示す図である。
【０１３８】
図５に示す例では、水素供給システム２００は、電気化学式水素ポンプ１００と、露点調整器１０３と、気液分離器１１８と、水経路１１９と、を備える。
【０１３９】
電気化学式水素ポンプ１００および露点調整器１０３は、第１実施形態と同様であるので説明を省略する。
【０１４０】
カソード極１２から排出される水素含有ガスの圧力が高圧になるほど、水素含有ガス中の水蒸気は凝縮しやすくなる。
【０１４１】
そこで、本実施形態の水素供給システム２００は、カソード極１２側から排出される水素含有ガスを気液分離する気液分離器１１８と、気液分離器１１８で水素含有ガスから分離した水を露点調整器１０３に供給するための水経路１１９と、を備える。つまり、気液分離器１１８は、カソード極１２のガス排出口と図示しない水素貯蔵器との間のカソードガス導出経路２６に設けられている。水経路１１９は、気液分離器１１８の排水口と露点調整器１０３とを接続する配管で構成されていてもよい。
【０１４２】
具体的には、気液分離器１１８では、水素含有ガスから水が分離される。そして、水分離が行われた水素含有ガスは、カソードガス導出経路２６を通じて水素貯蔵器に供給され、水素含有ガスから分離した水は、水経路１１９を通じて露点調整器１０３に供給される。
【０１４３】
例えば、気液分離器１１８に排水弁などを設け、水素含有ガスの圧力を利用して、必要に応じて、排水弁を開閉することで、気液分離器１１８の排水口から露点調整器１０３へ水を排出させることができる。
【０１４４】
以上により、本実施形態の水素供給システム２００は、カソード極１２側から排出される水素含有ガス中の水を、気液分離器１１８および水経路１１９を用いて露点調整器１０３に供給することができる。すると、カソード極１２側から排出される水素含有ガス中の水を、露点調整器１０３におけるガス加湿に再利用することができる。よって、外部から水素供給システム２００に補充する水の量を低減することができる。
【０１４５】
本実施形態の水素供給システム２００は、上記特徴以外は、第１実施形態、第１実施形態の実施例、第１実施形態の第１変形例−第２変形例、第２実施形態および第２実施形態の変形例のいずれかの水素供給システム２００と同様であってもよい。例えば、図５の水素供給システム２００においても、図３Ｃの制御器５０が設けられ、この制御器５０が、図１の露点調整器１０３の動作、図３Ａの加湿器１１７Ａの動作、図３Ｂの凝縮器１１７Ｂの動作を制御してもよい。
【０１４６】
（第４実施形態）
図６は、第４実施形態の水素供給システムの一例を示す図である。
【０１４７】
図６に示す例では、水素供給システム２００は、電気化学式水素ポンプ１００と、露点調整器１０３と、制御器５０と、加熱器１２０と、を備える。
【０１４８】
電気化学式水素ポンプ１００および露点調整器１０３は、第１実施形態と同様であるので説明を省略する。
【０１４９】
露点調整器１０３から排出された混合ガスの温度が、放熱などにより混合ガスの露点未満に低下する場合、混合ガス中の水蒸気の凝縮が起こる。
【０１５０】
そこで、本実施形態の水素供給システム２００は、露点調整器１０３から排出された混合ガスを加熱する加熱器１２０と、加熱器１２０を制御して、加熱器１２０で加熱された混合ガスの温度を露点調整器１０３から排出された混合ガスの露点以上にする第３制御器と、を備える。つまり、加熱器１２０は、露点調整器１０３とアノード極１３のガス流入口との間のアノードガス導入経路２９に設けられている。制御器５０は、このような第３制御器であってもよい。
【０１５１】
以上により、本実施形態の水素供給システム２００は、上記の加熱器１２０を設けない場合に比べて、混合ガス中の水蒸気の凝縮が起こりにくくなるので、凝縮水により混合ガスの流通が不安定になることを抑制できる。また、凝縮水がアノード極１３に流入することで電気化学式水素ポンプ１００のガス流路の閉塞が発生することを抑制できる。
【０１５２】
本実施形態の水素供給システム２００は、上記特徴以外は、第１実施形態、第１実施形態の実施例、第１実施形態の第１変形例−第２変形例、第２実施形態、第２実施形態の変形例および第３実施形態のいずれかの水素供給システム２００と同様であってもよい。
【０１５３】
なお、第１実施形態、第１実施形態の実施例、第１実施形態の第１変形例−第２変形例、第２実施形態、第２実施形態の変形例、第３実施形態および第４実施形態は、互いに相手を排除しない限り、互いに組み合わせてもよい。
【０１５４】
また、上記説明から、当業者にとっては、本開示の多くの改良および他の実施形態が明らかである。従って、上記説明は、例示としてのみ解釈されるべきであり、本開示を実行する最良の態様を当業者に教示する目的で提供されたものである。本開示の精神を逸脱することなく、その構造および／または機能の詳細を実質的に変更できる。
【０１５５】
例えば、上記では、電気化学式水素ポンプ１００から水素貯蔵器に水素が供給される場合について説明したが、水素供給システム２００が、水素貯蔵器を介さずに、または、水素貯蔵器を備えずに、水素需要体に直接、水素を供給する場合（例えば、燃料電池車の高圧水素タンクに水素を供給する場合など）であっても、以上の本開示の一態様の水素供給システム２００を適用することができる。
【産業上の利用可能性】
【０１５６】
本開示の一態様は、電気化学式水素ポンプの水素供給動作を従来よりも高効率に行い得る水素供給システムに利用することができる。
【符号の説明】
【０１５７】
１１      ：電解質膜
１２      ：カソード極
１２Ａ    ：カソード触媒層
１２Ｂ    ：カソードガス拡散層
１３      ：アノード極
１３Ａ    ：アノード触媒層
１３Ｂ    ：アノードガス拡散層
１６      ：カソードセパレータ
１７      ：アノードセパレータ
２１      ：絶縁体
２２Ｄ      ：給電板
２２Ｕ      ：給電板
２３Ｄ      ：絶縁板
２３Ｕ      ：絶縁板
２４Ｄ    ：端板
２４Ｕ    ：端板
２５      ：締結器
２６      ：カソードガス導出経路
２７      ：アノードガス導入マニホルド
２９      ：アノードガス導入経路
３０      ：アノードガス導出マニホルド
３１      ：アノードガス導出経路
３２      ：カソードガス流路
３３      ：アノードガス流路
４０      ：シール部材
４２      ：シール部材
４３      ：シール部材
５０      ：制御器
１００    ：電気化学式水素ポンプ
１００Ａ  ：単セル
１０２    ：電流調整器
１０３    ：露点調整器
１１３Ａ  ：凝縮器
１１３Ｂ  ：気液分離器
１１７Ａ  ：加湿器
１１７Ｂ  ：凝縮器
１１８    ：気液分離器
１１９    ：水経路
１２０    ：加熱器
２００    ：水素供給システム 
【図１】
2019099915.tif 000003
【図２Ａ】
2019099915.tif 000004
【図２Ｂ】
2019099915.tif 000005
【図３Ａ】
2019099915.tif 000006
【図３Ｂ】
2019099915.tif 000007
【図３Ｃ】
2019099915.tif 000008
【図４Ａ】
2019099915.tif 000009
【図４Ｂ】
2019099915.tif 000010
【図５】
2019099915.tif 000011
【図６】
2019099915.tif 000012